(57)【要約】【課題】視認性の向上及びメンテナンス性の確保が可能な貨幣処理システム及び表示装置を提供する。【解決手段】筐体７０と、筐体７０から離間可能な面部７６，７７を含む可動部７１と、筐体７０及び可動部７１の少なくとも何れか一方に設けられた貨幣処理部とを有する貨幣処理装置２２と、筐体７０に対し摺動可能に設けられ、面部７６，７７の筐体７０からの離間方向に重なる状態と重ならない状態とに切り替え可能な表示装置１１とを備える。表示装置１１を視認性向上のため可動部７１の面部７６，７７の筐体７０からの離間方向に重なる状態としても、メンテナンス時には、表示装置１１を可動部７１の面部７６，７７の筐体７０からの離間方向に重ならない状態とすることで、可動部７１を、表示装置１１に干渉させずに、筐体７０に対し移動させることができる。【選択図】図６
2020098419.tif 000002
【特許請求の範囲】
【請求項１】
筐体と、該筐体から離間可能な面部を含む可動部と、前記筐体及び前記可動部の少なくとも何れか一方に設けられた貨幣処理部とを有する貨幣処理装置と、
前記筐体に対し摺動可能に設けられ、前記面部の前記筐体からの離間方向に重なる状態と重ならない状態とに切り替え可能な表示装置と
を備えることを特徴とする貨幣処理システム。
【請求項２】
前記貨幣処理装置は、前記可動部を前記筐体にロックするロック部を更に有し、
前記ロック部は、前記表示装置が前記面部の前記筐体からの離間方向に重なる状態では前記可動部のロックの解除が不可であり、重ならない状態では前記可動部のロックの解除が可能であることを特徴とする請求項１記載の貨幣処理システム。
【請求項３】
前記表示装置は、前記面部の前記筐体からの離間方向に重ならない状態でロック可能であり、
前記ロック部は、前記表示装置が前記面部の前記筐体からの離間方向に重ならない状態でロックされている場合に、前記可動部のロックの解除が可能であることを特徴とする請求項２記載の貨幣処理システム。
【請求項４】
前記表示装置は、前記筐体に対し摺動可能に設けられ、前記面部の前記筐体からの離間方向に重なる状態と重ならない状態とに切り替え可能な表示部と、前記面部が前記筐体から離間している際に前記表示部の摺動を規制する摺動規制部とを有することを特徴とする請求項１から３の何れか一項記載の貨幣処理システム。
【請求項５】
前記表示装置は、前記筐体に対し上下に摺動可能に設けられ、前記面部の前記筐体からの離間方向に重なる状態と重ならない状態とに切り替え可能な表示部と、前記表示部の下降時に上昇時よりも高い抵抗力を発生させる抵抗部とを有することを特徴とする請求項１から４の何れか一項記載の貨幣処理システム。
【請求項６】
筐体と、該筐体から離間可能な面部を含む可動部とを有する装置の前記筐体に対し摺動可能に設けられ、前記面部の前記筐体からの離間方向に重なる状態と重ならない状態とに切り替え可能な表示部を備える
ことを特徴とする表示装置。
【発明の詳細な説明】
【技術分野】
【０００１】
本発明は、貨幣処理システム及び表示装置に関する。
【背景技術】
【０００２】
従来から、紙幣を入出金等する紙幣処理装置と硬貨を入出金等する硬貨処理装置とを備える貨幣処理システムが知られている（例えば、特許文献１参照）。特許文献１のような従来の貨幣処理システムの紙幣処理装置は、筐体から装置前方に引き出し可能な引出部を有し、この引出部に、紙幣に対して入出金等の各種の処理を行う紙幣処理部の一部又は全てが設けられている。硬貨処理装置は、硬貨に対して入出金等の各種の処理を行う硬貨処理部が設けられた筐体の前面に回動可能に設けられた扉部を有している。更に、紙幣処理装置及び硬貨処理装置のうちの何れか一方の筐体の上面には、操作者に対して各種の表示を行うと共に操作者によって紙幣処理装置及び硬貨処理装置に対する操作入力を行う表示装置（ターミナル装置）が設置されている。
【先行技術文献】
【特許文献】
【０００３】
【特許文献１】特開２０１８−０４１１５７号公報
【発明の概要】
【発明が解決しようとする課題】
【０００４】
しかしながら、特許文献１のような従来の貨幣処理システムでは、処理装置の前面には引出部や扉部が設けられているので、表示装置が筐体の上面の奥側に設置されている。更に、引出部を装置前方に引き出す際や扉部を装置前方に回動する際に、引出部や扉部が表示装置と接触することを防止するために、正面視（前面視）した際に、表示装置が、引出部や扉部と重ならないように、引出部や扉部よりも高く設けられている。従って、小柄な操作者では、表示装置を視認し難い可能性があり、また、表示装置がアクセスを受け付ける場合にはアクセスし難い可能性もあった。
【０００５】
その一方で、小柄な操作者であっても表示装置を視認し易いように、表示装置を処理装置の前方に配置して引出部や扉部と重なるように低く設けると、メンテナンスのため引出部を装置前方に引き出す際や扉部を装置前方に回動する際に引出部や扉部が表示装置と接触してしまい、引出部や扉部を動かすことができなくなってしまう。
【０００６】
本発明は、視認性の向上及びメンテナンス性の確保が可能な貨幣処理システム及び表示装置の提供を目的とする。
【課題を解決するための手段】
【０００７】
上記目的を達成するために、本発明に係る第１の態様は、筐体と、該筐体から離間可能な面部を含む可動部と、前記筐体及び前記可動部の少なくとも何れか一方に設けられた貨幣処理部とを有する貨幣処理装置と、前記筐体に対し摺動可能に設けられ、前記面部の前記筐体からの離間方向に重なる状態と重ならない状態とに切り替え可能な表示装置とを備えることを特徴とする。
【０００８】
上記第１の態様によれば、表示装置を視認性向上のため可動部の面部の筐体からの離間方向に重なる状態としても、メンテナンス時には、表示装置を筐体に対し摺動させて可動部の面部の筐体からの離間方向に重ならない状態とすることができ、よって、可動部を面部が筐体から離間するように筐体に対し移動させることができる。従って、視認性の向上及びメンテナンス性の確保が可能となる。
【０００９】
本発明に係る第２の態様は、上記第１の態様において、前記貨幣処理装置は、前記可動部を前記筐体にロックするロック部を更に有し、前記ロック部は、前記表示装置が前記面部の前記筐体からの離間方向に重なる状態では前記可動部のロックの解除が不可であり、重ならない状態では前記可動部のロックの解除が可能であることを特徴とする。
【００１０】
上記第２の態様によれば、表示装置が可動部の面部の筐体からの離間方向に重なる状態では、ロック部は可動部のロックの解除が不可となって、可動部の面部が表示装置に干渉することを防止する。また、表示装置が可動部の面部の筐体からの離間方向に重ならない状態では、ロック部は可動部のロックの解除が可能となって、面部を表示装置に干渉させることなく可動部を、面部が筐体から離間するように移動させることができる。
【００１１】
本発明に係る第３の態様は、上記第２の態様において、前記表示装置は、前記面部の前記筐体からの離間方向に重ならない状態でロック可能であり、前記ロック部は、前記表示装置が前記面部の前記筐体からの離間方向に重ならない状態でロックされている場合に、前記可動部のロックの解除が可能であることを特徴とする。
【００１２】
上記第３の態様によれば、表示装置が可動部の面部の筐体からの離間方向に重ならない状態でロックされている場合に、ロック部は可動部のロックの解除が可能となるため、可動部の面部が表示装置に干渉することを、より確実に防止することができる。
【００１３】
本発明に係る第４の態様は、上記第１から第３の何れか一態様において、前記表示装置は、前記筐体に対し摺動可能に設けられ、前記面部の前記筐体からの離間方向に重なる状態と重ならない状態とに切り替え可能な表示部と、前記面部が前記筐体から離間している際に前記表示部の摺動を規制する摺動規制部とを有することを特徴とする。
【００１４】
上記第４の態様によれば、表示装置の表示部が可動部の面部の筐体からの離間方向に重ならない状態にあって、可動部がその面部を筐体から離間させている状態では、摺動規制部が、表示部の摺動を規制することになるため、表示装置の表示部が、筐体に対し移動している可動部に干渉することを防止することができる。
【００１５】
本発明に係る第５の態様は、上記第１から第４の何れか一態様において、前記表示装置は、前記筐体に対し上下に摺動可能に設けられ、前記面部の前記筐体からの離間方向に重なる状態と重ならない状態とに切り替え可能な表示部と、前記表示部の下降時に上昇時よりも高い抵抗力を発生させる抵抗部とを有することを特徴とする。
【００１６】
上記第５の態様によれば、抵抗部が、表示部の下降時に上昇時よりも高い抵抗力を発生させるため、表示部の上昇時の負荷を低減しつつ、表示部の急激な下降を抑制することができる。
【００１７】
本発明に係る第６の態様は、筐体と、該筐体から離間可能な面部を含む可動部とを有する装置の前記筐体に対し摺動可能に設けられ、前記面部の前記筐体からの離間方向に重なる状態と重ならない状態とに切り替え可能な表示部を備えることを特徴とする。
【００１８】
上記第６の態様によれば、表示部を視認性向上のため可動部の面部の筐体からの離間方向に重なる状態としても、メンテナンス時には、表示部を筐体に対し摺動させて可動部の面部の筐体からの離間方向に重ならない状態とすることができ、よって、可動部を面部が筐体から離間するように筐体に対し移動させることができる。従って、視認性の向上及びメンテナンス性の確保が可能となる。
【発明の効果】
【００１９】
本発明によれば、視認性の向上及びメンテナンス性の確保が可能な貨幣処理システム及び表示装置を提供することができる。
【図面の簡単な説明】
【００２０】
【図１】本発明に係る一実施形態の貨幣処理システムを示す斜視図である。
【図２】本発明に係る一実施形態の貨幣処理システムを示す正面図である。
【図３】本発明に係る一実施形態の貨幣処理システムの紙幣入出金装置を示す斜視図である。
【図４】本発明に係る一実施形態の貨幣処理システムの硬貨処理ユニットを示す斜視図である。
【図５】本発明に係る一実施形態の貨幣処理システムの表示装置を示す斜視図である。
【図６】本発明に係る一実施形態の貨幣処理システムの紙幣入出金装置及び表示装置を示す部分側面図である。
【図７】本発明に係る一実施形態の貨幣処理システムの表示部を示す後面側から見た斜視図である。
【図８】本発明に係る一実施形態の貨幣処理システムの本体部を示す斜視図である。
【図９】本発明に係る一実施形態の貨幣処理システムの紙幣入出金装置及び表示装置を部分的に示す斜視断面図である。
【図１０】本発明に係る一実施形態の貨幣処理システムの紙幣入出金装置及び表示装置を部分的に示す斜視断面図である。
【図１１】本発明に係る一実施形態の貨幣処理システムの表示装置を部分的に示す斜視断面図である。
【図１２】本発明に係る一実施形態の貨幣処理システムの表示装置を部分的に示す斜視断面図である。
【図１３】本発明に係る一実施形態の貨幣処理システムの下降規制機構を示す側面図である。
【図１４】本発明に係る一実施形態の貨幣処理システムの下降規制機構等を示す側断面図である。
【発明を実施するための形態】
【００２１】
本発明に係る一実施形態の貨幣処理システム及び表示装置を図面を参照して以下に説明する。
【００２２】
＜構成＞
実施形態の貨幣処理システム１０は、図１及び図２に示すような、金融機関等で使用される出納システムであり、実施形態の表示装置１１は、この貨幣処理システム１０に設けられて、貨幣処理システム１０においてターミナル装置として使用されるものである。
【００２３】
以下の説明において使用する「前」は貨幣処理システム１０及び表示装置１１の操作者側、「後」は貨幣処理システム１０及び表示装置１１の操作者とは反対側、「左」は貨幣処理システム１０及び表示装置１１の操作者から見た左、「右」は貨幣処理システム１０及び表示装置１１の操作者から見た右である。
【００２４】
貨幣処理システム１０は、図１及び図２に示すように、小束収納出金装置２１と紙幣入出金装置２２（貨幣処理装置）と新券支払装置２３とを有する紙幣処理ユニット２４と、バラ硬貨入出金装置３１と棒金支払装置３２（貨幣処理装置）とを有する硬貨処理ユニット３３と、複数、具体的には２個の表示装置１１とを備えている。また、貨幣処理システム１０は、複数、具体的には２個のプリンタ３４と、投函ポスト３５と、複数、具体的には２個のテンキー装置３６と、複数、具体的には２個の静脈認証装置３７と、背板３８とを備えている。貨幣処理システム１０は、操作者が表示装置１１に表示される画面を見ながら操作をすることで、現金（バラ紙幣、バラ硬貨）の入金と、紙幣（バラ・小束・新券）及び硬貨（バラ・棒金）の出金と、営業店舗内の在高管理などを行うものである。
【００２５】
小束収納出金装置２１は、貨幣処理システム１０の左端位置に設けられている。小束収納出金装置２１は、右隣の紙幣入出金装置２２から繰り出されてきたバラ紙幣を所定枚数ずつ集積し結束して小束を作成する。小束収納出金装置２１は、作成した小束を収納すると共に、収納している小束を、前面上部から上面前部にかけて設けられた開閉可能な小束出金口４１から出金する。
【００２６】
紙幣入出金装置２２は、小束収納出金装置２１の右隣りに設けられている。紙幣入出金装置２２には、開閉可能な紙幣入出金口４３が前面上部に設けられており、開閉可能な紙幣返却口４４が上面前部に設けられている。紙幣入出金装置２２は、紙幣入出金口４３に投入されたバラ紙幣を識別し、受け入れ可能なバラ紙幣を計数しつつ金種別に収納する一方で、受け入れ不可なバラ紙幣を紙幣返却口４４に返却する。また、紙幣入出金装置２２は、収納しているバラ紙幣を紙幣入出金口４３から出金する。
【００２７】
新券支払装置２３は、小束収納出金装置２１の上面の小束出金口４１よりも後側に設置されている。新券支払装置２３は、収納している新券紙幣を前面の開閉可能な図２に示す新券出金口４６から出金する。新券支払装置２３の上面に１個のプリンタ３４が設置されている。
【００２８】
バラ硬貨入出金装置３１は、紙幣入出金装置２２の右隣りに設けられている。図１に示すように、バラ硬貨入出金装置３１には、開閉可能な硬貨入金口５１が上面に設けられている。また、図２に示すように、バラ硬貨入出金装置３１には、前面から引き出し可能な硬貨出金箱５２及び硬貨返却箱５３が設けられている。バラ硬貨入出金装置３１は、硬貨入金口５１に投入されたバラ硬貨を識別し、受け入れ可能なバラ硬貨を計数しつつ金種別に収納する一方で、受け入れ不可なバラ硬貨を硬貨返却箱５３に返却する。また、バラ硬貨入出金装置３１は、収納しているバラ硬貨を硬貨出金箱５２に出金する。
【００２９】
図１に示すように、バラ硬貨入出金装置３１の上面には、硬貨入金口５１よりも後側に、プリンタ３４と投函ポスト３５とが設置されている。これらのうち、投函ポスト３５が左側に、プリンタ３４が右側に、それぞれ設けられている。
【００３０】
棒金支払装置３２は、バラ硬貨入出金装置３１の右隣りであって、貨幣処理システム１０の右端位置に設けられている。棒金支払装置３２は、バラ硬貨入出金装置３１から繰り出されてきたバラ硬貨を所定枚数ずつ集積し包装して棒金を作成する。棒金支払装置３２は、作成した棒金を収納すると共に収納している棒金を、前面上部から上面前部にかけて設けられた開閉可能な棒金出金口５５から出金する。
【００３１】
背板３８は、紙幣処理ユニット２４の左側面部と、紙幣処理ユニット２４及び硬貨処理ユニット３３の背面部と、硬貨処理ユニット３３の右側面部とに取り付けられており、紙幣処理ユニット２４の上面の左端位置と、紙幣処理ユニット２４及び硬貨処理ユニット３３の上面の後端位置と、硬貨処理ユニット３３の上面の右端位置とから、これらの上面よりも上方に立ち上がっている。背板３８は、紙幣処理ユニット２４及び硬貨処理ユニット３３の上面に設置されている表示装置１１やプリンタ３４等の配線を隠す仕切りである。
【００３２】
表示装置１１は、紙幣入出金装置２２の上面に１個設置されると共に、棒金支払装置３２の上面に１個設置されている。テンキー装置３６は、バラ硬貨入出金装置３１の上面の左端位置に１個載置されると共に、棒金支払装置３２の右側面に固定された載置台５８の上面に１個設載置されている。静脈認証装置３７は、バラ硬貨入出金装置３１の上面左端のテンキー装置３６よりも後側に１個載置されると共に、載置台５８の上面のテンキー装置３６よりも後側に１個載置されている。
【００３３】
紙幣入出金装置２２の上面に設置された表示装置１１とバラ硬貨入出金装置３１の上面左端に設置されたテンキー装置３６及び静脈認証装置３７とが１組の操作卓６１を構成し、棒金支払装置３２の上面に設置された表示装置１１と、載置台５８に載置されたテンキー装置３６及び静脈認証装置３７とが１組の操作卓６１を構成する。即ち、貨幣処理システム１０は、２卓仕様となっている。
【００３４】
貨幣処理システム１０を、このように２卓仕様にすることで、２人の操作者が同時に貨幣処理システム１０を操作することができ、作業性に優れることになる。また、貨幣処理システム１０は、一方の操作者が一方の操作卓６１を操作して紙幣の入出金処理を行い、他方の操作者が他方の操作卓６１を操作して硬貨の入出金処理を行う等、２人の操作者の行う処理が干渉しない場合には、２人の操作者が同時に並行して処理を行うことができ、作業性に優れることになる。更に、処理が干渉する場合、先に操作卓６１を操作した操作者の処理が優先され、後に別の操作卓６１を操作した操作者は入力までしか行うことができず、先に操作卓６１を操作した操作者の処理が完了するのを待って、後に操作した操作者の処理が開始される。このように処理が干渉するとしても、入力等の操作自体は２人の操作者が同時にすることができるため、作業性に優れることになる。
【００３５】
図３に示すように、紙幣入出金装置２２は、前方に開口する箱状の筐体７０と、筐体７０に可動に連結された引出部７１（可動部）とを有している。引出部７１は、左右両側に設けられたスライドレール７２を介して筐体７０に連結されている。引出部７１は、スライドレール７２の案内で、筐体７０に対し上下方向及び左右方向の位置は一定のまま前後方向にのみ移動可能となっている。引出部７１は、筐体７０から前方に引き出し可能であり、筐体７０に対し後方に押し込み可能となっている。
【００３６】
紙幣入出金装置２２は、筐体７０に対し可動である引出部７１を筐体７０にロックする電磁ロック等のロック部７４を有している。引出部７１は、通常時は、筐体７０に対し最も奥側まで押し込まれた状態でロック部７４によって筐体７０にロックされている。以下、引出部７１のこの状態を「通常使用状態」と言う。
【００３７】
引出部７１には、前面上部に紙幣入出金口４３が設けられており、上面前部に紙幣返却口４４が設けられている。引出部７１には、紙幣返却口４４によりも後方に、紙幣返却口４４が設けられた水平に広がる上面部７５の後端縁部から上方に立ち上がる前壁部８０が形成されている。この前壁部８０は、その下部に前方に向く下前面部７６（面部）を、その上部に前方に向く上前面部７７（面部）を、それぞれ有している。下前面部７６は、引出部７１の引き出し方向、即ち前後方向に直交して広がっており、上前面部７７は、下前面部７６の上端縁部から上部が下部よりも後方に位置するように後上がりに若干傾斜して広がっている。
【００３８】
下前面部７６及び上前面部７７は、引出部７１の筐体７０からの引き出し時に筐体７０から離間し、引出部７１の筐体７０への押し込み時に筐体７０に接近する。よって、引出部７１は、筐体７０から離間可能な下前面部７６及び上前面部７７を含んでいる。引出部７１には、上前面部７７の上端縁部から水平後方に広がる上面部７８と、上面部７８の後端縁部から前後方向に直交して広がるように下方に延出する後面部７９とを有している。上面部７８は、紙幣返却口４４が設けられた上面部７５よりも上側に配置されており、筐体７０の上面７３と同一平面に配置されている。
【００３９】
引出部７１には、押し込み時に筐体７０内に収納され、引き出し時に筐体７０から外に露出する部分に、紙幣の紙幣入出金口４３からの繰り出し、紙幣の搬送、紙幣の識別、紙幣の計数、紙幣の一時貯留、紙幣の収納、紙幣の紙幣返却口４４に向けた返却、紙幣の紙幣入出金口４３に向けた出金等の処理を行う紙幣処理部８１（貨幣処理部）が設けられている。なお、紙幣入出金装置２２において、紙幣処理部８１は、引出部７１のみに設けられているが、筐体７０のみに設けられていても良く、筐体７０及び引出部７１の両方に設けられていても良い。即ち、紙幣処理部８１は、筐体７０及び引出部７１の少なくとも何れか一方に設けられていれば良い。
【００４０】
そして、図１に示すように、この紙幣入出金装置２２の筐体７０の上面７３に、一方の表示装置１１が設置されることになる。
【００４１】
図４に示すように、棒金支払装置３２は、前方に開口する箱状の筐体９０と、筐体９０に可動に連結された扉部９１（可動部）とを有している。扉部９１は、筐体９０に対し、筐体９０の前端右側部に鉛直に設けられた図示略の回動軸を中心に回動可能である。扉部９１は、筐体９０に対し上下方向の位置は一定のまま右前方に回動して筐体９０を開き、左後方に回動して筐体９０を閉じる。
【００４２】
棒金支払装置３２は、筐体９０に対し可動である扉部９１を筐体９０にロックする電磁ロック等のロック部９４を有している。扉部９１は、通常時は、筐体９０を閉塞した状態で電磁ロック等のロック部９４によって筐体９０にロックされている。以下、扉部９１のこの状態を「通常使用状態」と言う。
【００４３】
扉部９１には、通常使用状態での前面上部から上面前部にかけて棒金出金口５５が設けられている。通常使用状態の扉部９１には、棒金出金口５５よりも後方に、棒金出金口５５が設けられた水平に広がる上面部９５の後端縁部から上方に立ち上がる前壁部９６が形成されている。通常使用状態の扉部９１の前壁部９６は、前方に向く前面部９７（面部）を有しており、この前面部９７は、前後方向に直交する面に対し上部が下部よりも後方に位置するように後上がりに若干傾斜して広がっている。
【００４４】
この前面部９７は、扉部９１の開放時に筐体９０から離間し、扉部９１の閉塞時に筐体９０に接近する。よって、扉部９１は、筐体９０から離間可能な前面部９７を含んでいる。扉部９１には、通常使用状態にあるとき、前面部９７の上端縁部から水平後方に広がる上面部９８と、上面部９８の後端縁部から前後方向に直交して広がるように下方に延出する後面部９９とを有している。上面部９８は、棒金出金口５５が設けられた上面部９５よりも上側に配置されており、筐体９０の上面９３と同一平面に配置されている。
【００４５】
筐体９０には、扉部９１の開放時に外に露出する部分に、硬貨の搬送、硬貨の識別、硬貨の計数、硬貨の集積、硬貨の包装、棒金の収納、棒金の搬送、棒金の棒金出金口５５に向けた出金等の処理を行う棒金処理部１０１（貨幣処理部）が設けられている。なお、棒金処理部１０１は、筐体９０及び扉部９１の両方に設けられていても良く、扉部９１のみに設けられていても良い。即ち、棒金処理部１０１は、筐体９０及び扉部９１の少なくとも何れか一方に設けられていれば良い。
【００４６】
そして、図１に示すように、この棒金支払装置３２の筐体９０の上面９３に、他方の表示装置１１が設置されることになる。
【００４７】
貨幣処理システム１０においては、紙幣入出金装置２２の筐体７０の上面７３に１個の表示装置１１が設置されると共に、棒金支払装置３２の筐体９０の上面９３にもう１個の表示装置１１が設置されているが、各表示装置１１の構成は同様である。従って、ここでは、紙幣入出金装置２２に設置された表示装置１１を例に説明する。棒金支払装置３２に設置された表示装置１１については異なる点のみを説明する。
【００４８】
紙幣入出金装置２２に設置される表示装置１１は、筐体７０の上面７３に載置される本体部１１１と、本体部１１１の前部に連結された板状の表示部１１２とを備えている。表示部１１２は、通常使用状態にある引出部７１の上前面部７７に平行となっており、よって、下部よりも上部が若干後側に位置するように傾斜している。
【００４９】
なお、棒金支払装置３２に設置される表示装置１１は、本体部１１１が、筐体９０の上面９３に載置され、表示部１１２が、通常使用状態にある扉部９１の前面部９７に平行となっている。
【００５０】
表示部１１２は、本体部１１１とは反対側となる前面に、操作者に向け画面表示を行うディスプレイ１１５と、ディスプレイ１１５の画面の前面に設けられて操作入力を受け付けるタッチパネル１１６とを有している。つまり、この表示部１１２は、操作者に向け画面表示を行う表示手段として機能すると共に、操作者による操作入力を受け付ける操作手段としても機能する。
【００５１】
図５に示すように、表示部１１２は、ディスプレイ１１５及びタッチパネル１１６よりも下方となる下部に、ＩＣカードリーダ１１８と磁気カードリーダ１１９とが前方に向けて設けられている。これらのうちＩＣカードリーダ１１８が左側に、磁気カードリーダ１１９が右側に設けられている。
【００５２】
表示装置１１は、表示部１１２が、本体部１１１に対して上記傾斜状態を維持したまま、傾斜方向に沿って上下方向に摺動可能となっている。通常操作時には、図５（Ａ）に示すように、表示部１１２が摺動範囲の下部位置にあって本体部１１１から下方に突出する状態になる。これにより、紙幣入出金装置２２に設置された表示装置１１は、通常操作時には、図６（Ａ）に示すように、表示部１１２の下部が引出部７１の装置前方に配置され、正面視（前面視）した際に表示部１１２が引出部７１と重なるようになる。以下、表示装置１１のこの状態を「通常操作状態」と言う。
【００５３】
言い換えると、通常操作状態では、表示部１１２の下部が、通常使用状態にある引出部７１の下前面部７６及び上前面部７７に対し、上下方向及び左右方向の位置を重ね合わせることになり、前後に重なる状態になる。更に言い換えると、通常操作状態では、表示部１１２の下部が、通常使用状態にある引出部７１に対し、引出部７１の筐体７０に対する移動方向の先方に重なる状態になる。更に言い換えると、通常操作状態では、表示部１１２の下部が、通常使用状態にある引出部７１の下前面部７６及び上前面部７７の筐体７０からの離間方向に対し直交する方向の位置を下前面部７６及び上前面部７７と重ね合わせることになり、通常使用状態にある引出部７１の下前面部７６及び上前面部７７に対し、これらの筐体７０からの離間方向に重なる状態になる。更に言い換えると、通常操作状態では、表示部１１２の下部が、通常使用状態にある引出部７１の下前面部７６及び上前面部７７の筐体７０からの離間方向の移動軌跡上に配置される状態になる。
【００５４】
そのため、通常使用状態にある引出部７１を筐体７０から引き出す際には、図５（Ａ）のような通常操作状態から、表示部１１２を手動で上方向に移動させ、図５（Ｂ）に示すように、表示部１１２を本体部１１１から下方に突出しない状態とし、図６（Ｂ）に示すように、表示部１１２の下部を引出部７１の装置前方から退避させ、引出部７１の装置前方に重ならないようにする。以下、表示装置１１のこの状態を「退避状態」と言う。表示装置１１の表示部１１２を除く本体部１１１は、筐体７０の上面７３に載置されていて、通常使用状態にある引出部７１の装置前方には重なっていないため、退避状態では表示装置１１も、通常使用状態にある引出部７１の装置前方に重ならない状態になる。
【００５５】
言い換えると、退避状態では、表示部１１２及びこれを含む表示装置１１が、通常使用状態にある引出部７１の下前面部７６及び上前面部７７に対し、上下方向の位置をずらすことになり、前後に重ならない状態になる。更に言い換えると、退避状態では、表示部１１２及びこれを含む表示装置１１が、通常使用状態にある引出部７１に対し、引出部７１の筐体７０に対する引き出し時の移動方向の先方に重ならない状態になる。更に言い換えると、退避状態では、表示部１１２及びこれを含む表示装置１１が、通常使用状態にある引出部７１の下前面部７６及び上前面部７７の筐体７０からの離間方向に対し直交する方向の位置を下前面部７６及び上前面部７７に対しずらすことになり、通常使用状態にある引出部７１の下前面部７６及び上前面部７７に対し、これらの筐体７０からの離間方向に重ならない状態になる。更に言い換えると、退避状態では、表示部１１２及びこれを含む表示装置１１が、通常使用状態にある引出部７１の下前面部７６及び上前面部７７の筐体７０からの離間方向の移動軌跡上にない状態になる。
【００５６】
その後、再度通常操作状態にする際には、図５（Ｂ）のような退避状態から、表示部１１２を手動で下方向に移動させ、図５（Ａ）に示すように、表示部１１２を本体部１１１から下方に突出するように下部位置に位置させる。これにより、図６（Ａ）に示すように、表示部１１２の下部が通常使用状態にある引出部７１の装置前方に位置し、表示部１１２が引出部７１と、引出部７１の筐体７０からの引き出し時の移動方向に重なる通常操作状態になる。
【００５７】
以上により、紙幣入出金装置２２に設置された表示装置１１は、その表示部１１２が、本体部１１１を介して紙幣入出金装置２２の筐体７０に対し上下に摺動可能に設けられ、引出部７１の下前面部７６及び上前面部７７の筐体７０からの離間方向に重なる状態と重ならない状態とに切り替え可能となっている。表示装置１１は、本体部１１１が、常に、引出部７１の下前面部７６及び上前面部７７の筐体７０からの離間方向に重ならない状態となっているため、その全体として、引出部７１の下前面部７６及び上前面部７７の筐体７０からの離間方向に重なる状態と重ならない状態とに切り替え可能となっている。
【００５８】
棒金支払装置３２に設置された表示装置１１は、通常操作状態では、表示部１１２の下部が扉部９１の装置前方に配置され、正面視（前面視）した際に表示部１１２が、通常使用状態にある扉部９１と重なるようになる。言い換えると、通常操作状態では、表示部１１２の下部が、通常使用状態にある扉部９１の前壁部９６の前面部９７に対し、上下方向及び左右方向の位置を重ね合わせることになり、前後に重なる状態になる。更に言い換えると、通常操作状態では、表示部１１２の下部が、通常使用状態にある扉部９１に対し、扉部９１の筐体９０に対する移動方向の先方に重なる状態になる。更に言い換えると、通常操作状態では、表示部１１２の下部が、通常使用状態にある扉部９１の前面部９７に対し、その筐体９０からの離間方向に重なる状態になる。更に言い換えると、通常操作状態では、表示部１１２の下部が、通常使用状態にある扉部９１の前面部９７の筐体９０からの離間方向の移動軌跡上に配置される状態になる。
【００５９】
また、棒金支払装置３２に設置された表示装置１１は、退避状態では、表示部１１２の下部を扉部９１の装置前方から退避させ、正面視（前面視）した際に、通常使用状態にある扉部９１の装置前方に重ならないようにする。言い換えると、退避状態では、表示部１１２及びこれを含む表示装置１１が、通常使用状態にある扉部９１の前面部９７に対し、上下方向の位置をずらすことになり、前後に重ならない状態になる。更に言い換えると、退避状態では、表示部１１２及びこれを含む表示装置１１が、通常使用状態にある扉部９１に対し、扉部９１の筐体９０に対する開時の移動方向の先方に重ならない状態になる。更に言い換えると、退避状態では、表示部１１２及びこれを含む表示装置１１が、通常使用状態にある扉部９１の前面部９７に対し、その筐体９０からの離間方向に重ならない状態になる。更に言い換えると、退避状態では、表示部１１２及びこれを含む表示装置１１が、通常使用状態にある扉部９１の前面部９７の筐体９０からの離間方向の移動軌跡上にない状態になる。
【００６０】
以上により、棒金支払装置３２に設置された表示装置１１は、その表示部１１２が、本体部１１１を介して棒金支払装置３２の筐体９０に対し上下に摺動可能に設けられ、扉部９１の前面部９７の筐体９０からの離間方向に重なる状態と重ならない状態とに切り替え可能となっている。表示装置１１は、本体部１１１が、常に、扉部９１の前面部９７の筐体９０からの離間方向に重ならない状態となっているため、全体として、扉部９１の前面部９７の筐体９０からの離間方向に重なる状態と重ならない状態とに切り替え可能となっている。
【００６１】
図７に示すように、表示部１１２の後部には、後面１３１よりも前方に凹む凹状をなして上下方向に延びるガイド凹部１３２が左右両側に一対設けられている。これらガイド凹部１３２の互いに平行で反対を向く、位置が近い側の側面には、それぞれガイドレール１３３が後面１３１と平行をなして上下方向に延びるように固定されている。これらガイド凹部１３２のそれぞれの上端は、下方に向きガイド凹部１３２の延在方向に対し直交して広がる下位置規制部１３５となっている。
【００６２】
一対のガイド凹部１３２のそれぞれの下部には、左右方向のガイドレール１３３側に規制部１３６が設けられている。これら規制部１３６の上面は、ガイド凹部１３２の延在方向に対し直交して広がる上位置規制部１３７となっており、これら規制部１３６の下面は、ガイド凹部１３２の延在方向に対し直交して広がる下降規制部１３８となっている。
【００６３】
図８に示すように、本体部１１１の前面１４１は、前後方向に直交して広がる面に対して下部よりも上部が若干後側に位置するように傾斜しており、図６に示すように、本体部１１１の紙幣入出金装置２２への設置時に、通常使用状態の引出部７１の上前面部７７と同一平面に配置される。なお、棒金支払装置３２に設置される場合、本体部１１１の前面１４１は、通常使用状態の扉部９１の前面部９７と同一平面に配置される。
【００６４】
図８に示すように、本体部１１１の前部には、前面１４１よりも後方に凹む凹状の前面凹部１４２が設けられている。前面凹部１４２には、前面１４１よりも前方に突出するように支持部１４３が左右両側に一対固定されている。これら支持部１４３には、それぞれの対向する近い側の側面に、ガイドキャリッジ１４４が、前面１４１と平行をなして上下方向に延びるように固定されている。
【００６５】
本体部１１１の一対の支持部１４３が、それぞれ表示部１１２の一対のガイド凹部１３２の対応する一方に挿入されることになり、この状態で、表示部１１２の一対のガイドレール１３３に、本体部１１１の一対のガイドキャリッジ１４４が、それぞれ対応するもの同士連結されることになる。すると、図９に示すように、表示部１１２は、後面１３１が本体部１１１の前面１４１に対し、平行をなし、若干の一定距離離れて対向する。この状態で、表示部１１２は、一対のガイドレール１３３が一対のガイドキャリッジ１４４上を走行することになり、その結果、本体部１１１に対してガイドレール１３３及びガイドキャリッジ１４４の延在方向に摺動する。よって、表示部１１２は、本体部１１１に支持されて、後面１３１が本体部１１１の前面１４１に対し平行をなし若干の一定距離離れて対向する状態を維持したまま本体部１１１に対し上下に摺動する。
【００６６】
ここで、図９（Ａ）に示すように、表示部１１２が通常操作状態にある場合には、ガイド凹部１３２の上端の下位置規制部１３５が、本体部１１１の支持部１４３の上面と当接することで、表示部１１２が本体部１１１に対しこれ以上下方向に移動しないように規制する。
【００６７】
その一方で、図９（Ｂ）に示すように、表示部１１２が退避状態にある場合には、ガイド凹部１３２の下部に設けられた規制部１３６の上位置規制部１３７が、支持部１４３の下面と当接することで、表示部１１２が本体部１１１に対しこれ以上上方向に行かないように規制する。
【００６８】
ここで、一対の支持部１４３のそれぞれの前端部には、左右方向に沿う軸回りに回転可能なローラ部１４６が上下に設けられている。これらローラ部１４６が対応するガイド凹部１３２の底面と接触する。よって、表示部１１２はローラ部１４６を転動させながら本体部１１１に対し円滑に摺動するようになっている。
【００６９】
図７に示すように、表示部１１２の後部には、一対のガイド凹部１３２の間に、ガイド凹部１３２と平行をなして延びるようにラックギア１５１が設けられている。これに対して、図８に示すように、本体部１１１の前面凹部１４２にはピニオンギア１５２が左右軸回りに回転可能に設けられている。そして、表示部１１２の一対のガイドレール１３３に、本体部１１１の一対のガイドキャリッジ１４４がそれぞれ連結されると、図１０に示すように、ラックギア１５１とピニオンギア１５２とが噛み合う。
【００７０】
ピニオンギア１５２は、図８に示すように、ワンウェイクラッチ１５５（抵抗部）に連結されている。ワンウェイクラッチ１５５は、表示部１１２を上方向に移動させ、通常操作状態から退避状態にする際には、これに連動して回転するピニオンギア１５２に回転負荷を発生させず、表示部１１２を下方向に移動させ、退避状態から通常操作状態にする際には、これに連動して回転するピニオンギア１５２に回転負荷を発生させるようになっている。
【００７１】
即ち、ワンウェイクラッチ１５５は、表示装置１１の表示部１１２に対しその下降時にその上昇時よりも高い抵抗力を発生させる。よって、表示部１１２を容易に退避状態にすることができる一方で、表示部１１２が急激に下降することを抑制できる。このため、図９（Ａ）に示すように、表示部１１２の下降時に下位置規制部１３５と本体部１１１の支持部１４３の上面とが当接する際の衝撃を緩和することができる。
【００７２】
図７に示すように、表示部１１２の後面１３１側の左右両端縁部には、表示部１１２を本体部１１１に対し摺動させる際に操作者の手で把持される一対の把持部１６１が後面１３１よりも前方に凹んで設けられている。左側の把持部１６１は表示部１１２の左側面に抜けており、右側の把持部１６１は表示部１１２の右側面に抜けている。
【００７３】
表示部１１２の両側のガイド凹部１３２には、それぞれ係合部材１７１の係合部１７２が、上位置規制部１３７の近傍に設けられている。これら係合部１７２は、それぞれが配置されたガイド凹部１３２内において規制部１３６よりも左右方向のガイドレール１３３とは反対側に配置されている。図９（Ａ）に示すように、係合部材１７１は、表示部１１２内に位置固定で設けられた上下一対の回動軸１７３を中心に回動可能となっている。一対の回動軸１７３は、ガイド凹部１３２の延在方向、言い換えれば表示部１１２の摺動方向に沿っており、よって、係合部材１７１は、表示部１１２の摺動方向に沿う軸回りに回動する。
【００７４】
係合部材１７１には、左右方向のガイドレール１３３とは反対側に一対の回動軸１７３が設けられており、左右方向のガイドレール１３３側に係合部１７２が設けられている。係合部材１７１は、ガイド凹部１３２内でガイド凹部１３２の底面に沿って広がる平板状のベース板部１７４を有しており、このベース板部１７４から上下に一対の回動軸１７３が突出し、このベース板部１７４から後方に係合部１７２が突出している。係合部材１７１は、バネ等の付勢部材（不図示）によって係合部１７２を後方、即ち表示部１１２の後面１３１側に位置させるように付勢されている。
【００７５】
ベース板部１７４には、左右方向の回動軸１７３側の下部の後面に後方に突出するようにロック解除レバー１７５が固定されている。ロック解除レバー１７５は、左右方向の係合部１７２側ほどベース板部１７４からの突出高さが高くなる形状をなしている。図７に示すように、係合部材１７１は、把持部１６１の前側に配置されており、ロック解除レバー１７５は、把持部１６１の下端部の開口部１７６から後方に突出している。操作者が手で把持部１６１を把持する際に、開口部１７６から突出するロック解除レバー１７５を前方に押圧操作すると、係合部１７２がガイド凹部１３２内で前方に移動する。
【００７６】
図１１に示すように、係合部１７２は、ベース板部１７４から後方に突出し、その下面を含んで回動軸１７３の軸方向に直交して広がる係合本体部１７７と、係合本体部１７７の後端縁部から上方且つ前方に延出する係合ガイド部１７８とを有している。係合本体部１７７の下面は、表示部１１２の摺動方向に対し直交して広がっている。係合ガイド部１７８は、係合本体部１７７に対して鋭角をなして傾斜しており、延出先端側ほどベース板部１７４及び下位置規制部１３５に近づくように傾斜している。
【００７７】
本体部１１１の前面凹部１４２にはロック部材１８１が固定されている。ロック部材１８１は、前面凹部１４２の底面に固定されてこの底面から本体部１１１の前面１４１に直交して前面１４１よりも前方に延出するロック本体部１８２と、ロック本体部１８２の前端縁部から下方且つ後方に延出するロックガイド部１８３と、ロックガイド部１８３の後端縁部から前面凹部１４２の底面まで延びてこの底面に固定される延出部１８４とを有している。
【００７８】
ロック本体部１８２は、その上面を含んで係合部材１７１の回動軸１７３の軸方向に直交して広がっており、表示部１１２の摺動方向に対し直交して広がっている。ロックガイド部１８３は、ロック本体部１８２に対して鋭角をなしており、延出部１８４とは反対側ほど回動軸１７３の軸方向において下位置規制部１３５に近づくように傾斜している。
【００７９】
図７に示すような表示部１１２の係合部１７２と、図８に示すような本体部１１１のロック部材１８１とが、図１１に示すように、係合することで、表示部１１２は、退避状態で保持される。具体的には、図１１に示すように、係合部材１７１の係合本体部１７７の下面とロック部材１８１のロック本体部１８２の上面とが面接触で当接することで、表示部１１２は本体部１１１にロックされて退避状態に保持される。
【００８０】
そして、操作者が係合部材１７１のロック解除レバー１７５を前方に押して、図１２に示すように、一対の回動軸１７３を中心に係合部材１７１を前方に回動させることで、係合部１７２を前方に移動させて、係合部１７２とロック部材１８１との係合状態を解除することになる。即ち、係合部材１７１の係合本体部１７７の下面とロック部材１８１のロック本体部１８２の上面との面接触を解除して、係合部１７２とロック部材１８１とが表示部１１２の摺動方向に見て重ならない状態とする。この状態で、表示部１１２を下方向に移動させると、表示部１１２を退避状態から通常操作状態にすることができる。
【００８１】
図１１に示すように、ロック解除レバー１７５が押圧操作されない状態では、係合部１７２の先端の上方且つ前方に向け傾斜した係合ガイド部１７８と、ロック部材１８１の先端の上方且つ前方に向け傾斜したロックガイド部１８３とは、表示部１１２の摺動方向に見て重なっている。従って、通常操作状態から退避状態にするために操作者が表示部１１２を上方向に移動させると、先ず、係合ガイド部１７８が下方からロックガイド部１８３に当接し、これらの傾斜により、表示部１１２の上方移動に連動して、ロックガイド部１８３が係合ガイド部１７８を前方に押圧し、係合部材１７１を回動軸１７３を中心に係合部１７２が前方に移動するように回動させる。
【００８２】
その後、更に操作者が表示部１１２を上方向に移動させることにより、係合本体部１７７の下面がロック本体部１８２の上面よりも上方に配置されると、付勢部材によって係合部材１７１が表示部１１２の後面１３１側に回動される。すると、再度、係合本体部１７７とロック本体部１８２とが係合できるようになる。以上のように、操作者が表示部１１２を上方向に移動させるだけで、係合部１７２とロック部材１８１とが自動的に係合し、表示部１１２を退避状態で保持することができるようになる。
【００８３】
図１１に示すように、係合部材１７１のベース板部１７４には、左右方向の係合部１７２側の端部の係合部１７２よりも上側に検出部１９１が設けられている。これに対応して本体部１１１の支持部１４３には、係合部１７２とロック部材１８１との係合状態を検出する検出センサ１９２が設けられている。検出部１９１及び検出センサ１９２は、表示部１１２が退避状態にあると共に、係合部１７２とロック部材１８１とが係合されている状態のときに、当接するように設けられている。
【００８４】
検出センサ１９２は、検出部１９１が当接してオン状態になると、表示部１１２が退避状態にあり且つ係合部１７２とロック部材１８１とが係合状態にあることを検出し、検出部１９１が当接せずオフ状態になると、この状態にないことを検出する。これにより、検出センサ１９２は、退避状態において係合部１７２とロック部材１８１とが係合され表示部１１２がロックされているか、否かを検出することができる。
【００８５】
そして、紙幣入出金装置２２は、これに設置された表示装置１１の検出センサ１９２によって表示部１１２のロックが検出された場合にのみ、引出部７１の電磁ロックであるロック部７４によるロックを解除し、筐体７０から引出部７１を引き出し可能にする。紙幣入出金装置２２に設置された表示装置１１において、検出センサ１９２によって表示部１１２のロックが検出された状態では、表示部１１２は退避状態にあって、通常使用状態にある引出部７１の下前面部７６及び上前面部７７の筐体７０からの離間方向に重ならない状態にある。
【００８６】
紙幣入出金装置２２は、逆に、これに設置された表示装置１１の検出センサ１９２によって表示部１１２のロックが検出されていないと、引出部７１のロック部７４によるロックを解除せず、筐体７０から引出部７１の引き出しを規制する。紙幣入出金装置２２に設置された表示装置１１において、検出センサ１９２によって表示部１１２のロックが検出されない状態は、表示部１１２が通常操作状態にあって、通常使用状態にある引出部７１の下前面部７６及び上前面部７７の筐体７０からの離間方向に重なる状態を含む。
【００８７】
よって、紙幣入出金装置２２のロック部７４は、紙幣入出金装置２２に設けられた表示装置１１の表示部１１２が、下前面部７６及び上前面部７７の筐体７０からの離間方向に重なる状態では引出部７１のロックの解除が不可であり、重ならない状態では引出部７１のロックの解除が可能である。これにより、紙幣入出金装置２２に設けられた表示装置１１において表示部１１２が引出部７１に重なった状態で、引出部７１を筐体７０から引き出して表示部１１２と引出部７１とが接触することを防止することができる。
【００８８】
しかも、紙幣入出金装置２２のロック部７４は、紙幣入出金装置２２に設けられた表示装置１１の表示部１１２が、下前面部７６及び上前面部７７の筐体７０からの離間方向に重ならない状態でロックされている場合に、引出部７１のロックの解除が可能であり、重なる状態は勿論、重ならない状態でもロックされていなければ、引出部７１のロックの解除が不可である。これにより、紙幣入出金装置２２に設けられた表示装置１１において表示部１１２が引出部７１に重なった状態で、引出部７１を筐体７０から引き出して表示部１１２と引出部７１とが接触することを、より確実に防止することができる。
【００８９】
棒金支払装置３２においても、これに設置された表示装置１１の検出センサ１９２によって表示部１１２のロックが検出された場合にのみ、扉部９１の電磁ロックであるロック部９４によるロックを解除し、筐体９０から扉部９１を離間可能にする。棒金支払装置３２は、逆に、これに設置された表示装置１１の検出センサ１９２によって表示部１１２のロックが検出されていないと、扉部９１のロック部９４によるロックを解除せず、筐体９０からの扉部９１の離間を規制する。
【００９０】
よって、棒金支払装置３２のロック部９４は、棒金支払装置３２に設けられた表示装置１１の表示部１１２が、前面部９７の筐体９０からの離間方向に重なる状態では扉部９１のロックの解除が不可であり、重ならない状態では扉部９１のロックの解除が可能である。これにより、棒金支払装置３２に設けられた表示装置１１において表示部１１２が扉部９１に重なった状態で、扉部９１を開いて表示部１１２と扉部９１とが接触することを防止することができる。
【００９１】
図８に示すように、本体部１１１の前面凹部１４２には、表示部１１２の落下を防止する左右一対の下降規制機構２０１（摺動規制部）が設けられている。図１３に示すように、下降規制機構２０１は、本体部１１１側に位置固定で設けられる下降規制固定部２０３と、下降規制固定部２０３に位置固定で設けられた複数本のガイドピン２０４と、前方に下降規制支持部２０６を突出させた状態でガイドピン２０４にガイド溝２０７において移動可能に支持される下降規制支持部材２０８とを有している。下降規制支持部材２０８は、ガイド溝２０７が前後方向に延在する状態でガイドピン２０４に支持されており、下降規制固定部２０３及び本体部１１１に対し、ガイド溝２０７の延在方向である前後方向に移動可能となっている。
【００９２】
下降規制機構２０１は、下降規制固定部２０３と下降規制支持部材２０８との間に介装されて下降規制支持部材２０８を前方に付勢するバネである付勢部材２１１と、下降規制固定部２０３の下部に設けられた支持軸２１２と、下降規制支持部材２０８の下部に設けられた作動軸２１３とを有している。支持軸２１２及び作動軸２１３は、中心軸線が左右方向に沿っており、支持軸２１２よりも作動軸２１３の方が下側に配置されている。
【００９３】
下降規制機構２０１は、支持軸２１２に支持され作動軸２１３に連結されたリンク部材２１５と、リンク部材２１５の支持軸２１２とは反対側の端部に回転可能に支持されたローラ部２１６と、リンク部材２１５をローラ部２１６が前方に位置するように付勢するバネである付勢部材２１７とを有している。リンク部材２１５は、下降規制固定部２０３に設けられた支持軸２１２に対し位置固定で回動可能に支持されており、下降規制支持部材２０８に設けられた作動軸２１３に対し長穴２１９で回動可能且つスライド可能に連結されている。リンク部材２１５及びローラ部２１６は左右方向に沿う軸回りに回転する。
【００９４】
この下降規制機構２０１は、下降規制固定部２０３に回動可能に設けられたリンク部材２１５が、図１３（Ａ）に示すような後退位置から支持軸２１２を中心に前方に回動されて図１３（Ｂ）に示すような前進位置に配置されると、リンク部材２１５の長穴２１９に作動軸２１３を係合させている下降規制支持部材２０８が、それに連動して、下降規制固定部２０３のガイドピン２０４に対しガイド溝２０７を摺動させながら、図１３（Ａ）に示すような退避位置から前方に移動して図１３（Ｂ）に示すような係合位置に移動する。
【００９５】
その一方で、リンク部材２１５が図１３（Ｂ）に示すような前進位置から支持軸２１２を中心に後方に回動されて図１３（Ａ）に示すような後退位置に配置されると、それに連動して、下降規制支持部材２０８が図１３（Ｂ）に示すような係合位置から後方に移動して図１３（Ａ）に示すような退避位置に移動する。
【００９６】
このような下降規制機構２０１は、図１４（Ａ）に示すように、表示装置１１が設置されている紙幣入出金装置２２の引出部７１が筐体７０に収容されている通常使用状態にある場合には、リンク部材２１５に設けられたローラ部２１６が引出部７１の上面部７８に当接しており、回動が規制されて後退位置に配置され、下降規制支持部材２０８も退避位置に配置されている。
【００９７】
そして、この状態から、引出部７１が筐体７０から引き出されると、引出部７１の上面部７８がローラ部２１６から離れることになり、リンク部材２１５に設けられた付勢部材２１７及び下降規制固定部２０３と下降規制支持部材２０８との間に設けられた付勢部材２１１の付勢力によって、リンク部材２１５が、図１４（Ａ）に示すような後退位置から前方に回動されて、図１４（Ｂ）に示すような前進位置に配置される。すると、リンク部材２１５に連結された下降規制支持部材２０８が、付勢部材２１１，２１７の付勢力によって、図１４（Ａ）に示すような退避位置から前方に移動されて、図１４（Ｂ）に示すような係合位置に配置される。
【００９８】
このとき、下降規制支持部材２０８の先端の下降規制支持部２０６が表示部１１２の規制部１３６の下降規制部１３８に係合するように或いは下降規制部１３８のやや下方に位置するように配置される。言い換えると、下降規制支持部２０６が表示部１１２の摺動時における下降規制部１３８の移動軌跡上に配置される。これにより、引出部７１が筐体７０から引き出された状態で誤って操作者がロック解除レバー１７５を押しても、下降規制部１３８が下降規制支持部２０６に係合することで、これ以上表示部１１２が下方向に行かないように規制することができる。よって、引出部７１が筐体７０から引き出された状態で表示部１１２が下方向に移動して、表示部１１２と引出部７１とが接触することを防止することができる。
【００９９】
その一方で、その後、引出部７１を筐体７０に収容するために引出部７１が筐体７０に向けて押し込まれると、引出部７１の後面部７９とリンク部材２１５に設けられたローラ部２１６とが当接し、更に引出部７１が筐体７０に押し込まれると、それに伴って、リンク部材２１５が、図１４（Ｂ）に示すような前進位置から後方に回動されてローラ部２１６を引出部７１の上面部７８に当接させて、図１４（Ａ）に示すような後退位置に配置される。それに連動して、下降規制支持部材２０８が、図１４（Ｂ）に示すような係合位置から後方に移動されて、図１４（Ａ）に示すような退避位置に配置される。すると、下降規制支持部２０６は表示部１１２の摺動時における下降規制部１３８の移動軌跡上にない状態となる。これにより、引出部７１が筐体７０に押し込まれた通常使用状態にあれば、操作者がロック解除レバー１７５を押すと、表示部１１２を下降させることができる。
【０１００】
よって、紙幣入出金装置２２に設けられた表示装置１１の下降規制機構２０１は、引出部７１の下前面部７６及び上前面部７７が、引出部７１が通常使用状態にあるときよりも筐体７０から離間している際に、表示部１１２の下降規制部１３８に当接して表示部１１２の下方への摺動を規制する。その一方で、下前面部７６及び上前面部７７が、引出部７１が通常使用状態にあるときよりも筐体７０から離間していなければ、表示部１１２の下降規制部１３８に当接せず、表示部１１２の下方への摺動を許容する。
【０１０１】
棒金支払装置３２に設けられた表示装置１１においても、下降規制機構２０１は、棒金支払装置３２の扉部９１が閉じられている通常使用状態にある場合には、リンク部材２１５に設けられたローラ部２１６が扉部９１の上面部９８に当接しており、回動が規制されて後退位置に配置され、下降規制支持部材２０８も退避位置に配置されている。
【０１０２】
そして、この状態から、扉部９１が開かれると、扉部９１の上面部９８がローラ部２１６から離れることになり、リンク部材２１５が前進位置に配置される。すると、このリンク部材２１５に連結された下降規制支持部材２０８が、係合位置に配置され、その下降規制支持部２０６が表示部１１２の下降規制部１３８に係合するように或いは下降規制部１３８のやや下方に位置するように配置される。これにより、扉部９１が開かれた状態で誤って操作者がロック解除レバー１７５を押しても、下降規制部１３８が下降規制支持部２０６に係合することで、これ以上表示部１１２が下方向に行かないように規制することができる。よって、扉部９１が開かれた状態で表示部１１２が下方向に移動して、表示部１１２と扉部９１とが接触することを防止することができる。
【０１０３】
その一方で、その後、扉部９１が閉じられると、扉部９１の後面部９９とローラ部２１６とが当接し、更に扉部９１が閉じられると、それに伴って、リンク部材２１５が、ローラ部２１６を扉部９１の上面部９８に当接させて後退位置に配置される。それに連動して、下降規制支持部材２０８が退避位置に配置される。これにより、扉部９１が閉じられた通常使用状態にあれば、操作者がロック解除レバー１７５を押すと、表示部１１２を下降させることができる。
【０１０４】
よって、棒金支払装置３２に設けられた表示装置１１の下降規制機構２０１は、扉部９１の前面部９７が、扉部９１が通常使用状態にあるときよりも筐体９０から離間している際に、表示部１１２の下降規制部１３８に当接して表示部１１２の下方への摺動を規制する。その一方で、前面部９７が、扉部９１が通常使用状態にあるときよりも筐体９０から離間していなければ、表示部１１２の下降規制部１３８に当接せず、表示部１１２の下方への摺動を許容する。
【０１０５】
図７に示すように、表示部１１２の後面１３１には、ディスプレイ１１５、タッチパネル１１６、ＩＣカードリーダ１１８及び磁気カードリーダ１１９等の配線を外部に排出する配線開口部２３１が設けられている。更に、その付近には、配線開口部２３１から排出された配線を後方（本体部１１１側）にガイドする配線ガイド部２３２が設けられている。図８に示すように、本体部１１１の前面凹部１４２には、本体部１１１から排出された配線が挿通される配線開口部２３３が設けられている。
【０１０６】
また、本体部１１１には、表示装置１１の電源部（不図示）と、表示装置１１を制御する制御部（不図示）とが設けられている。更に、本体部１１１の右側面には、図８に示すように、保護蓋２３５が回動可能に設けられており、保護蓋２３５で覆われて電源スイッチ（不図示）が設けられている。また、本体部１１１の左右両側面には、表示装置１１を持ち上げる際に把持される装置把持部２３６が設けられている。
【０１０７】
＜動作＞
［表示部１１２を通常操作状態から退避状態にして、通常使用状態にある引出部７１を筐体７０から引き出すまでの動作］
【０１０８】
（工程１）通常使用状態にある引出部７１をメンテナンス等で筐体７０から引き出す必要が生じた場合、操作者は、先ず、表示部１１２に、引出部７１を筐体７０から引き出すに当たって必要な操作を入力する。すると、表示部１１２には、表示部１１２を上方向に移動させて退避させる旨の操作指示（メッセージ・画像）が表示され、スピーカから操作メッセージが出力される。すると、操作者は、表示部１１２の左右両側部の把持部１６１を手で握る等しながら、手動で、表示部１１２を、規制部１３６の上位置規制部１３７と支持部１４３とが当接するまで、上方向に移動させる。
【０１０９】
この際に、表示部１１２は一対のガイドレール１３３が本体部１１１の一対のガイドキャリッジ１４４を摺動して、その後面１３１と本体部１１１の前面１４１との平行を維持し間隔を一定に維持したまま、前面１４１に沿って上昇する。また、この際に、ラックギア１５１がピニオンギア１５２を回転させ、ワンウェイクラッチ１５５を回転させることになるが、ワンウェイクラッチ１５５による回転抵抗は小さく、よって、表示部１１２の上昇は、基本的に表示部１１２の自重に抗する力となる。更に、この際に、係合部材１７１の係合ガイド部１７８が、下方からロック部材１８１のロックガイド部１８３に当接し、係合ガイド部１７８がロックガイド部１８３によって前方に導かれ、係合ガイド部１７８を含む係合部材１７１が前方に回動される。その後、係合本体部１７７の下面がロック本体部１８２の上面よりも上方に配置されると、付勢部材（不図示）によって係合部材１７１が表示部１１２の後面１３１側に回動し、係合本体部１７７とロック本体部１８２とが表示部１１２の移動方向に見て重なる状態になり、係合部１７２とロック部材１８１とが係合可能な状態になる。
【０１１０】
（工程２）次いで、操作者が表示部１１２から手を放す。すると、表示部１１２が自重によって少し下方向に移動して、係合本体部１７７とロック本体部１８２とが当接し係合部１７２とロック部材１８１とが係合する。これにより、表示部１１２が退避状態に保持される。
【０１１１】
このとき、係合部材１７１は、上記のように表示部１１２の後面１３１側に回動しており、検出部１９１が検出センサ１９２に当接する。すると、検出センサ１９２がオン状態になり、これにより、退避状態で係合部１７２とロック部材１８１とが係合して表示部１１２がロックされていることが検出される。すると、紙幣入出金装置２２は、引出部７１のロック部７４によるロックを解除し、引出部７１が筐体７０から引き出し可能な状態になる。この状態では、表示部１１２は、全体として引出部７１よりも上側に位置しており、引出部７１の筐体７０からの引き出しに干渉することがなくなる。
【０１１２】
（工程３）次いで、操作者が引出部７１を筐体７０から引き出す。すると、リンク部材２１５に設けられたローラ部２１６が、当接している引出部７１の上面部７８上で回転し、引出部７１の上面部７８がローラ部２１６よりも前方に位置すると、付勢部材２１７及び付勢部材２１１によって、リンク部材２１５が、次第に後退位置から前方に回動されて、ローラ部２１６を引出部７１の後面部７９に当接させ、更なる引出部７１の引き出しで、前進位置に配置されて引出部７１の後面部７９から離間する。このように後退位置から前進位置に移動する際に、リンク部材２１５は、長穴２１９内に配置された作動軸２１３を前方に押圧する。すると、下降規制支持部材２０８がガイド溝２０７をガイドピン２０４に対し摺動させながら退避位置から前方に移動して係合位置に配置されて表示部１１２の下降規制部１３８の下側に入り込む。
【０１１３】
このように引出部７１が筐体７０から引き出された状態では、操作者が表示部１１２の側部の把持部１６１を手で握りつつロック解除レバー１７５を指で押して係合部材１７１を回動させても、下降規制支持部材２０８が表示部１１２の下降規制部１３８に当接して表示部１１２の下降を規制して、引出部７１への当接を規制する。また、このように係合部材１７１が回動させられると、検出センサ１９２は検出部１９１との当接が解除されたことを検出することになり、すると、表示装置１１が表示部１１２に警告メッセージや警告画像を表示させ、スピーカから警告メッセージ及び警告音の少なくとも何れか一方を出力させて警告を行う。
【０１１４】
以上のようにして、表示部１１２を通常操作状態から退避状態にした後、通常使用状態にある引出部７１を筐体７０から引き出すことができる。即ち、表示装置１１に干渉させることなく引出部７１を筐体７０から引き出すことができる。
【０１１５】
なお、図４に示すような扉部９１を有する棒金支払装置３２の筐体９０の上面９３に設置された表示装置１１の場合には、（工程１）及び（工程２）によって、表示部１１２を通常操作状態から退避状態にした後、検出センサ１９２によって表示部１１２のロックが検出されると、棒金支払装置３２は、通常使用状態にある扉部９１のロック部９４によるロックを解除し、扉部９１を筐体９０に対し回動可能な状態にする。この状態では、表示部１１２は、全体として扉部９１よりも上側に位置することになり、扉部９１の筐体９０に対する回動に干渉することがなくなる。これにより、表示装置１１に干渉することなく扉部９１を筐体９０に対して開くことができる。
【０１１６】
その後、（工程３）において、操作者が、手動で、扉部９１を前方に回動させて、筐体９０の前部を開ける。すると、リンク部材２１５に設けられたローラ部２１６が、扉部９１の上面部９８から後面部９９に当接する状態になった後、後面部９９から離間することなり、これにより、リンク部材２１５が、下降規制支持部材２０８を係合位置に配置して表示部１１２の下降規制部１３８の下側に入り込ませて表示部１１２の下降を規制する。
【０１１７】
［引出部７１が筐体７０から引き出された状態から、表示部１１２を再度通常操作状態にするまでの動作］  
【０１１８】
（工程４）操作者は、先ず、引出部７１を筐体７０に向けて押し込み、引出部７１を筐体７０に収容して通常使用状態にする。すると、ロック部７４が引出部７１を押込位置で筐体７０にロックすることになる。
【０１１９】
この引出部７１の筐体７０に向けての押し込みの際、引出部７１の後面部７９とリンク部材２１５に設けられたローラ部２１６とが当接し、後面部７９でローラ部２１６が後方に押されて、リンク部材２１５が前進位置から後方に回動する。そして、ローラ部２１６が引出部７１の上面部７８に乗り上げると、リンク部材２１５が後退位置に配置される。このように前進位置から後退位置に移動する際に、リンク部材２１５は、長穴２１９内に配置された作動軸２１３を後方に押圧する。すると、下降規制支持部材２０８がガイド溝２０７をガイドピン２０４に対し摺動させながら係合位置から後方に移動されて退避位置に配置され、表示部１１２の下降規制部１３８から後方に退避する。
【０１２０】
（工程５）次いで、操作者は、表示部１１２の側部の把持部１６１を手で握りつつ、ロック解除レバー１７５を指で手前に押す。すると、係合部材１７１が前方に回動し、係合部１７２のロック部材１８１との係合状態を解除する。
【０１２１】
（工程６）次いで、操作者は、ロック解除レバー１７５を指で押したまま、表示部１１２を、ガイド凹部１３２の下位置規制部１３５が支持部１４３と当接するまで下方向に移動させ、表示部１１２及びロック解除レバー１７５から手を放す。すると、表示部１１２が自重により下位置規制部１３５を支持部１４３に係合させた状態に維持する。これにより、表示部１１２が通常操作状態に保持される。
【０１２２】
表示部１１２を下方に移動させる際に、表示部１１２はガイドレール１３３が本体部１１１のガイドキャリッジ１４４を摺動して、その後面１３１と本体部１１１の前面１４１との平行を維持し間隔を一定に維持したまま、前面１４１に沿って下降する。また、この際に、ラックギア１５１がピニオンギア１５２を回転させ、ワンウェイクラッチ１５５を回転させることになり、ワンウェイクラッチ１５５による回転抵抗が生じる。よって、表示部１１２の下降速度は遅くなって、下位置規制部１３５の支持部１４３への衝突が緩衝される。
【０１２３】
以上のようにして、引出部７１が筐体７０から引き出された状態から、引出部７１を押し込んだ後、表示部１１２を再度通常操作状態にする。
【０１２４】
なお、図４に示すような扉部９１を有する棒金支払装置３２の筐体９０の上面９３に設置された表示装置１１の場合には、（工程４）において、操作者は、先ず、扉部９１を後方に回動させて筐体９０の前部を閉じる通常使用状態にする。すると、ロック部９４が扉部９１を筐体９０にロックする。扉部９１を通常使用状態にする際に、扉部９１の後面部９９とリンク部材２１５に設けられたローラ部２１６とが当接し、ローラ部２１６が後面部９９で後方に押圧される。これにより、リンク部材２１５が、前進位置から後方に回動されてローラ部２１６を扉部９１の上面部９８に乗り上げさせることになり、後退位置に配置される。他の工程については、上述した紙幣入出金装置２２と同様である。
【０１２５】
以上に述べた実施形態の貨幣処理システム１０によれば、紙幣入出金装置２２上に載置された表示装置１１において、その表示部１１２を視認性向上のため引出部７１の下前面部７６及び上前面部７７の筐体７０からの離間方向に重なる状態としても、メンテナンス時には、表示部１１２を筐体７０に対し摺動させて、引出部７１の下前面部７６及び上前面部７７の筐体７０からの離間方向に重ならない状態とすることができ、よって、引出部７１を、表示装置１１に干渉させずに、下前面部７６及び上前面部７７が筐体７０から離間するように筐体７０に対し移動させることができる。従って、視認性の向上及びメンテナンス性の確保が可能となる。
【０１２６】
棒金支払装置３２上に載置された表示装置１１についても、同様に、表示部１１２を視認性向上のため扉部９１の前面部９７の筐体９０からの離間方向に重なる状態としても、メンテナンス時には、表示部１１２を筐体９０に対し摺動させて、扉部９１の前面部９７の筐体９０からの離間方向に重ならない状態とすることができ、よって、扉部９１を、表示装置１１に干渉させずに前面部９７が筐体９０から離間するように移動させることができる。従って、視認性の向上及びメンテナンス性の確保が可能となる。
【０１２７】
即ち、表示部１１２を引出部７１や扉部９１と重なるように下げることで、小柄な操作者であっても、表示部１１２を容易に視認でき、表示部１１２に容易にアクセスできることになる。また、表示部１１２を引出部７１や扉部９１と重ならないように上げることで、引出部７１をその下前面部７６及び上前面部７７が筐体７０から離間するように筐体７０に対し移動させたり、扉部９１をその前面部９７が筐体９０から離間するように筐体９０に対し移動させることができる。よって、引出部７１を筐体７０から前方に引き出して紙幣入出金装置２２の内部にアクセスすることができ、扉部９１を前方に回動させて棒金支払装置３２の内部にアクセスすることができる。
【０１２８】
また、紙幣入出金装置２２上に載置された表示装置１１が、引出部７１の下前面部７６及び上前面部７７の筐体７０からの離間方向に重なる状態では、ロック部７４は引出部７１のロックの解除が不可となって、引出部７１が表示装置１１に干渉することを防止する。また、表示装置１１が引出部７１の下前面部７６及び上前面部７７の筐体７０からの離間方向に重ならない状態では、ロック部７４は引出部７１のロックの解除が可能となって、表示装置１１に干渉させることなく引出部７１を、下前面部７６及び上前面部７７が筐体７０から離間するように移動させることができる。
【０１２９】
棒金支払装置３２上に載置された表示装置１１においても、扉部９１の前面部９７の筐体９０からの離間方向に重なる状態では、ロック部９４は扉部９１のロックの解除が不可となって、扉部９１が表示装置１１に干渉することを防止する。また、表示装置１１が扉部９１の前面部９７の筐体９０からの離間方向に重ならない状態では、ロック部９４は扉部９１のロックの解除が可能となって、表示装置１１に干渉させることなく扉部９１を、前面部９７が筐体９０から離間するように移動させることができる。
【０１３０】
しかも、紙幣入出金装置２２上に載置された表示装置１１が、引出部７１の下前面部７６及び上前面部７７の筐体７０からの離間方向に重ならない状態でロックされている場合に、ロック部７４は引出部７１のロックの解除が可能となるため、引出部７１が表示装置１１に干渉することを、より確実に防止することができる。
【０１３１】
棒金支払装置３２上に載置された表示装置１１においても、扉部９１の前面部９７の筐体９０からの離間方向に重ならない状態でロックされている場合に、ロック部９４は扉部９１のロックの解除が可能となるため、扉部９１が表示装置１１に干渉することを、より確実に防止することができる。
【０１３２】
また、紙幣入出金装置２２上に載置された表示装置１１において、その表示部１１２が引出部７１の下前面部７６及び上前面部７７の筐体７０からの離間方向に重ならない状態にあって、引出部７１が引き出され、その下前面部７６及び上前面部７７を筐体７０から離間させている状態では、下降規制機構２０１が、表示部１１２の摺動を規制することになるため、表示部１１２が、筐体７０に対し移動している引出部７１に干渉したり、引出部７１の押し込み時に引出部７１に干渉したりすることを防止することができる。
【０１３３】
棒金支払装置３２上に載置された表示装置１１においても、同様に、その表示部１１２が扉部９１の前面部９７の筐体９０からの離間方向に重ならない状態にあって、扉部９１が開かれ、その前面部９７を筐体９０から離間させている状態では、下降規制機構２０１が、表示部１１２の摺動を規制することになるため、表示部１１２が、筐体９０に対し移動している扉部９１に干渉したり、扉部９１の閉時に扉部９１に干渉したりすることを防止することができる。
【０１３４】
表示装置１１は、ワンウェイクラッチ１５５が、表示部１１２の下降時に上昇時よりも高い抵抗力を発生させるため、表示部１１２の上昇時の負荷を低減しつつ、表示部１１２の急激な下降を抑制することができる。
【０１３５】
＜変形例＞
実施形態では、表示装置１１を、紙幣入出金装置２２と棒金支払装置３２とに設置する場合を例にとり説明したが、小束収納出金装置２１やバラ硬貨入出金装置３１等の他の装置に設置するようにしても良い。更に、実施形態では、表示装置１１を、貨幣処理システム１０に対して２個設置しているが、１個だけ設置するようにしても良く、２個以上設置するようにしても良い。
【０１３６】
また、実施形態では、表示装置１１が、表示手段として機能すると共に操作手段としても機能するものとしたが、これに限定されることはなく、貨幣処理システム１０にキーボード、ＩＣカードリーダ及び磁気カードリーダ等の操作手段を別途設けることで、表示装置１１は、表示手段としてのみ機能するものであっても良い。即ち、表示部１１２のディスプレイ１１５の表面にタッチパネル１１６がなく、表示部１１２にＩＣカードリーダ１１８及び磁気カードリーダ１１９が設けられていなくても良い。
【０１３７】
また、表示装置１１が、表示部１１２を通常操作状態（下位置）と退避状態（上位置）との間の任意の位置に配置できる高さ調整機構を有するようにしても良い。例えば、ロック部材１８１の代わりに、本体部１１１にラックギアを設けて、表示部１１２の係合部材１７１の係合部１７２を本体部１１１のラックギアの任意の歯部に係合させれば、表示部１１２を、通常操作状態と退避状態との間の任意の位置で保持することができる。
【０１３８】
また、表示装置１１は、表示部１１２を電動で上下動されるようにしても良い。例えば、本体部１１１に、ピニオンギア１５２に連結され、ピニオンギア１５２を回転駆動させる駆動部を設けるようにする。駆動部は、モータ等で構成されており、ピニオンギア１５２を一方に回転させることで、表示部１１２を上昇させ、ピニオンギア１５２を他方に回転させることで、表示部１１２を下降させる。これにより、操作者は、表示部１１２に表示された上昇ボタン又は下降ボタン、本体部１１１及び／又は表示部１１２に設けられた上昇ボタン又は下降ボタン等の高さ調整操作部を操作することで、表示部１１２を、通常操作状態と退避状態との間の任意の位置に配置できる。更に、駆動部によって表示部１１２を上下動させるので、力のない操作者であっても、表示部を容易に上下動させることができる。
【０１３９】
更に、本体部１１１に、操作者毎に設定した表示部１１２の指定高さを記憶する記憶部を設けるようにし、操作者によってＩＤ入力が行われて操作者が特定されると、駆動部が駆動されて、表示部１１２は、特定された操作者の指定高さに自動的に配置されるようにしても良い。
【０１４０】
また、表示装置１１は、小束収納出金装置２１、紙幣入出金装置２２、新券支払装置２３、紙幣処理ユニット２４、バラ硬貨入出金装置３１及び棒金支払装置３２等の貨幣処理装置に設けることができるが、これに限定されるものではない。例えば、手形や小切手等を収納する紙葉類処理装置、通帳や証書等を収納する通帳・証書処理装置、鍵・カード・印鑑等を管理する鍵管理装置、現金・通帳・証書・手形・小切手及び重要書類等の重要物を収納する金庫やロッカー等の重要物管理装置等の各種装置に設置することも可能である。
【符号の説明】
【０１４１】
１０…貨幣処理システム、１１…表示装置、２２…紙幣入出金装置（貨幣処理装置）、３２…棒金支払装置（貨幣処理装置）、７０，９０…筐体、７１…引出部（可動部）、７４，９４…ロック部、７６…下前面部（面部）、７７…上前面部（面部）、８１…紙幣処理部（貨幣処理部）、９１…扉部（可動部）、９７…前面部（面部）、１０１…棒金処理部（貨幣処理部）、１１２…表示部、１５５…ワンウェイクラッチ（抵抗部）、２０１…下降規制機構（摺動規制部）。
【図１】
2020098419.tif 000003
【図２】
2020098419.tif 000004
【図３】
2020098419.tif 000005
【図４】
2020098419.tif 000006
【図５】
2020098419.tif 000007
【図６】
2020098419.tif 000008
【図７】
2020098419.tif 000009
【図８】
2020098419.tif 000010
【図９】
2020098419.tif 000011
【図１０】
2020098419.tif 000012
【図１１】
2020098419.tif 000013
【図１２】
2020098419.tif 000014
【図１３】
2020098419.tif 000015
【図１４】
2020098419.tif 000016